(57)【要約】【課題】画像処理部の画像処理方式に応じた画像信号の事前処理がなされない技術と比較して、処理を効率化することができる画像信号処理装置及び画像形成装置を提供する。【解決手段】画像形成装置１０は、送信部４７０から無線により送信されたパッキングされた画像信号を受信する受信部２６０と、受信部２６０が受信した画像信号を処理する画像処理部２７０と、を有し、画像処理部２７０の画像信号の処理方式に応じて画像信号の事前処理がなされる。【選択図】図２
2018186385.tif 000002
【特許請求の範囲】
【請求項１】
送信部から無線により送信され、パッキングされた画像信号を受信する受信部と、
前記受信部が受信した画像信号を処理する画像処理部と、
を有し、
前記画像処理部の画像信号の処理方式に応じて画像信号の事前処理がなされる画像信号処理装置。
【請求項２】
画像信号の事前処理が、前記受信部でなされる請求項１記載の画像信号処理装置。
【請求項３】
少なくとも前記画像処理部を制御する制御部をさらに有し、
前記制御部により画像信号の事前処理がなされる請求項１記載の画像信号処理装置。
【請求項４】
送信部から無線により送信され、パッキングされた画像信号を受信する受信部と、
少なくも前記受信部を制御する制御部と、
を有し、
前記制御部は、
当該制御部の画像信号の処理方式に応じて画像信号を事前処理し、
事前処理した画像信号をさらに処理する
画像信号処理装置。
【請求項５】
前記制御部は、画像信号の事前処理と事前処理された画像信号の処理とを同時に行う請求項４記載の画像信号処理装置。
【請求項６】
前記受信部は、ＩＥＥＥ８０２．１１ａｄで規格化されたＷｉＧｉｇを通じて画像信号を受け付ける請求項１乃至５いずれか記載画像信号処理装置。
【請求項７】
パッキングされた画像信号を無線により送信する送信部と、
前記送信部が送信した画像信号を受信する受信部と、
前記受信部が受信した画像信号を処理する画像処理部と、
前記画像処理部で処理された画像信号を用いて画像を形成する画像形成部と、
を有する画像形成装置。
【請求項８】
送信部から無線により送信され、パッキングされた画像信号を受信する受信部と、
少なくも前記受信部を制御する制御部と、
を有し、
前記制御部は、当該制御部の画像信号の処理方式に応じて画像信号を事前処理し、事前処理した画像信号をさらに処理し、
前記制御部で処理された画像信号を用いて画像を形成する画像形成部をさらに有する画像形成装置。
【発明の詳細な説明】
【技術分野】
【０００１】
本発明は、画像信号処理装置及び画像処理装置に関する。
【背景技術】
【０００２】
特許文献１には、筐体と、前記筐体に対して可動する可動部材と、前記可動部材に取り付けられ、無線で通信を行う無線通信素子と、前記無線通信素子と無線で送受信を行う送受信部と、前記可動部材が前記筐体内に位置している状態で、前記無線通信素子と前記送受信部との通信を遮蔽する遮蔽部と、を有する検知装置であって、前記可動部材の動作により、前記無線通信素子が前記筐体外に露出することで、前記無線通信素子と前記送受信部間の通信が可能なモードと、前記無線通信素子が前記筐体内に入ることで、前記無線通信素子と前記送受信部間の通信が不可能となるモードを持つことで、前記検知装置の状態を検知することを特徴とする検知装置が記載されている。
【０００３】
特許文献２には、画像処理に関する制御を行う複数の機能ユニットにより構成される画像形成装置であって、各機能ユニットは、画像形成装置に搭載可能な機能のうちの１以上の制御を行う制御手段と、他の機能ユニットと超広帯域無線により画像データの通信を行う通信手段とを備えることを特徴とする画像形成装置が記載されている。
【先行技術文献】
【特許文献】
【０００４】
【特許文献１】特開２００７−３３３４１１号公報
【特許文献２】特開２００８−２３６０９４号公報
【発明の概要】
【発明が解決しようとする課題】
【０００５】
画像処理部に、その画像処理部の処理方式とは異なる処理方式の画像信号が入力されると、処理が非効率になる虞がある。
【０００６】
本発明は、画像処理部の画像処理方式に応じた画像信号の事前処理がなされない技術と比較して、処理を効率化することができる画像信号処理装置及び画像形成装置を提供することを目的とする。
【課題を解決するための手段】
【０００７】
請求項１に係る本発明は、送信部から無線により送信され、パッキングされた画像信号を受信する受信部と、前記受信部が受信した画像信号を処理する画像処理部と、を有し、前記画像処理部の画像信号の処理方式に応じて画像信号の事前処理がなされる画像信号処理装置である。
【０００８】
請求項２に係る本発明は、画像信号の事前処理が、前記受信部でなされる請求項１記載の画像信号処理装置である。
【０００９】
請求項３に係る本発明は、少なくとも前記画像処理部を制御する制御部をさらに有し、前記制御部により画像信号の事前処理がなされる請求項１記載の画像信号処理装置である。
【００１０】
請求項４に係る本発明は、送信部から無線により送信され、パッキングされた画像信号を受信する受信部と、少なくも前記受信部を制御する制御部と、を有し、前記制御部は、当該制御部の画像信号の処理方式に応じて画像信号を事前処理し、事前処理した画像信号をさらに処理する画像信号処理装置である。
【００１１】
請求項５に係る本発明は、前記制御部は、画像信号の事前処理と事前処理された画像信号の処理とを同時に行う請求項４記載の画像信号処理装置である。
【００１２】
請求項６に係る本発明は、前記受信部は、ＩＥＥＥ８０２．１１ａｄで規格化されたＷｉＧｉｇを通じて画像信号を受け付ける請求項１乃至５いずれか記載画像信号処理装置である。
【００１３】
請求項７に係る本発明は、パッキングされた画像信号を無線により送信する送信部と、前記送信部が送信した画像信号を受信する受信部と、前記受信部が受信した画像信号を処理する画像処理部と、前記画像処理部で処理された画像信号を用いて画像を形成する画像形成部と、を有する画像形成装置である。
【００１４】
請求項８に係る本発明は、送信部から無線により送信され、パッキングされた画像信号を受信する受信部と、少なくも前記受信部を制御する制御部と、を有し、前記制御部は、当該制御部の画像信号の処理方式に応じて画像信号を事前処理し、事前処理した画像信号をさらに処理し、前記制御部で処理された画像信号を用いて画像を形成する画像形成部をさらに有する画像形成装置である。
【発明の効果】
【００１５】
請求項１に係る本発明によれば、画像処理部での画像信号の処理方式に応じた画像信号の事前処理がなされない技術と比較して、処理を効率化することができる画像信号処理装置を提供することができる。
【００１６】
請求項２に係る本発明によれば、画像処理部で画像信号の事前処理をする技術と比較して、画像処理部の負荷を低減することができる。
【００１７】
請求項３に係る本発明によれば、受信部で画像信号の事前処理をする技術と比較して、受信部の負荷を低減することができる。
【００１８】
請求項４に係る本発明によれば、制御部での画像信号の処理方式に応じた画像信号の事前処理がなされない技術と比較して、処理を効率化することができる画像信号処理装置を提供することができる。
【００１９】
請求項５に係る本発明によれば、画像信号の事前処理の完了を待って画像信号の処理をする技術と比較して、画像信号の処理が完了するまでの時間を短縮することができる。
【００２０】
請求項６に係る本発明によれば、ＷｉＧｉｇ以外を通じて受信部が画像信号を受信する技術と比較して、画像信号の受信速度を高くすることができる。
【００２１】
請求項７に係る本発明によれば、画像処理部での画像信号の処理方式に応じた画像信号の事前処理がなされない技術と比較して、処理を効率化することができる画像形成装置を提供することができる。
【００２２】
請求項８に係る本発明によれば、制御部での画像信号の処理方式に応じた画像信号の事前処理がなされない技術と比較して、処理を効率化することができる画像形成装置を提供することができる。
【図面の簡単な説明】
【００２３】
【図１】本発明の実施形態で用いられる画像形成装置の概略構成を示す図である。
【図２】図１に示す画像形成装置が有する出力部と、送信部と、受信部とを示し、図１に示す画像形成装置が有する画像処理部と制御部との第一の例をさらに示す図である。
【図３】図１に示す画像形成装置が有する出力部と、送信部と、受信部とを示し、図１に示す画像形成装置が有する画像処理部と制御部との第二の例をさらに示す図である。
【図４】図１に示す画像形成装置が有する出力部と、送信部と、受信部とを示し、図１に示す画像形成装置が有する画像処理部の第三の例をさらに示す図である。
【発明を実施するための形態】
【００２４】
以下、本発明の実施形態について図面を参照して詳細に説明する。図１は、本発明の実施形態で用いられる画像形成装置１０の一例を示す図である。図１に示すように、画像形成装置１０は、出力装置１００と、原稿読取装置４００とを有する。
【００２５】
出力装置１００は、例えば用紙等の記録媒体に画像を出力する装置であって、出力装置本体１１０を有し、出力装置本体１１０の上側の面が、画像の形成された記録媒体が排出される排出部１１２として用いられている。また、出力装置本体１１０内には、記録媒体に画像を形成する画像形成部１３０が配置されている。
【００２６】
画像形成部１３０は、後述する画像処理部２７０か、後述する制御部２８０かが処理した画像信号を用いて画像を形成するものであり、例えば電子写真方式を用いて、例えば単色の画像を形成する。画像形成部１３０は、像保持体として用いられている感光体ドラム１３２と、感光体ドラム１３２を帯電する帯電装置１３４と、感光体ドラム１３２の表面に静電潜像を形成する潜像形成部１３４と、潜像を現像してトナー像とする現像装置１３６と、トナー像を記録媒体に転写する転写装置１３８と、感光体ドラム１３２の表面を清掃する清掃装置１４２と、記録媒体にトナー像を定着させる定着装置１４４とを有する。
【００２７】
以上の説明においては、電子写真方式を採用した構成を例として示して画像形成部１３０を説明したものの、画像形成部１３０は、例えばインクジェット方式等、電子写真以外の方式を採用したものであってもよい。また、以上の説明においては、単色の画像を形成する構成を例として画像形成部１３０を説明したものの、画像形成部１３０は、多色の画像を形成する構成としてもよい。
【００２８】
出力装置本体１１０内には、供給装置２００がさらに配置されている。供給装置２００は、収納部２０２に収納された記録媒体を、供給ロール２０４を用いて画像形成部１３０へと供給する。
【００２９】
また、出力装置本体１１０内には搬送路２３０が形成されている。搬送路２３０は、供給装置２００から転写装置１３８へと記録媒体を送信し、さらには定着装置１４４へと記録媒体を搬送し、さらには排出部１１２へと記録媒体を排出するように記録媒体を搬送する。
【００３０】
出力装置本体１１０内には、搬送路２３０に沿って、記録媒体搬送方向における上流側から順に、先述の供給ロール２０４と、レジストロール２３２と、先述の転写装置１３８と、先述の定着装置１４４と、排出ロール２３４とが配置されている。
【００３１】
レジストロール２３２は、記録媒体の先端の移動を一時的に停止させ、画像形成部１３０が画像を形成するタイミングに一致させるように、記録媒体の先端の移動を再開させる。
【００３２】
排出ロール２３４は、定着装置１４４によってトナー像が定着された記録媒体を排出部１１２へと排出する。
【００３３】
出力装置本体１１０内には、受信部２６０がさらに配置されている。受信部２６０は、後述する送信部４７０が無線により送信した画像信号を受信する。
【００３４】
出力装置本体１１０内には、画像処理部２７０がさらに配置されている。画像処理部２７０は、受信部２６０が受信した画像信号を処理する。また、画像処理部２７０が処理した画像信号を用いて、先述のように潜像形成部１３４等を有する画像形成部１３０が画像を形成する。尚、画像処理部２７０の詳細は後述する。
【００３５】
出力装置本体１１０内には、制御部２８０がさらに配置されている。制御部２８０は、例えば、画像形成部１３０、供給装置２００、画像処理部２７０等、出力装置１００全体を制御する。尚、制御部２８０の詳細は後述する。
【００３６】
原稿読取装置４００は、原稿読取装置本体４０２を有し、原稿読取装置本体４０２の上側の面が、読取が終わった原稿が排出される排出部４０４として用いられている。また、原稿読取装置４００は、読取前の原稿を支持する支持部４０６をさらに有する。
【００３７】
原稿読取装置本体４０２内には、搬送路４１０が形成されている。搬送路４１０は、例えば複数の搬送部材４１２を用いて、支持部４０６に支持された原稿を読取位置Ｐまで搬送し、読取位置Ｐまで搬送された原稿を排出部４０４へとさらに搬送する。
【００３８】
原稿読取装置本体４０２内には、光源４２０と、集光部４２２と、読取部４５０とがさらに配置されている。光源４２０は、原稿の読取位置Ｐを通過中の部分に光を照射する。集光部４２２は、例えばレンズ等の光学部品を備え、光源４２０から発せられ、原稿の表面で反射された光を読取部４５０へと集める。
【００３９】
読取部４５０は、原稿を読み取る原稿読取部の一例であるとともに、画像を取得する画像取得部の一例であり、所謂イメージセンサであって、例えば、ＣＣＤ（Charge  Coupled Device）、ＣＩＳ（Contact Image Sensor）、ＢＢＤ（Bucket Brigade Device）などを用いることができる。
【００４０】
原稿読取装置本体４０２内には、出力部４６０がさらに配置されている。出力部４６０としては、アナログフロントエンド（Analog Front End）を用いことができ、出力部４６０は、読取部４５０から入力された画像信号をアナログ信号からデジタル信号に変換して出力する。
【００４１】
原稿読取装置本体４０２内には、送信部４７０がさらに配置されている。送信部４７０は、出力部４６０でデジタル信号に変換された画像信号を、無線を用いて受信部２６０に送信する。
【００４２】
図２には、出力部４６０と、送信部４７０とが示されていて、受信部２６０と、画像処理部２７０と、制御部２８０との第一の例がさらに示されている。
【００４３】
送信部４７０は、先述のように画像信号を無線を用いて送信するものであって、例えば、ＷｉＧｉｇを通じて画像信号を送信する。ここで、ＷｉＧｉｇとは、ＩＥＥＥ８０２．１１ａｄで規格化された短距離の高速デジタル無線通信であり、周波数６０ギガヘルツのミリ波の電波を利用し、通信速度は最大７Ｇｂｐｓと高速である。また、送信部４７０は、画像信号をパッキングして送信する。
【００４４】
受信部２６０は、先述のように無線によって送信された画像信号を受信するものであって、例えば、ＷｉＧｉｇを通じて画像信号を受信する。また、受信部２６０は、受信部２６０の各部を制御する制御部２６２を有する。制御部２６２としては、例えば、ＣＰＵ（central processing unit）を用いることができる。
【００４５】
画像処理部２７０は、先述のように受信部２６０が処理した画像信号を処理するものであって、より具体的には、例えば、画像信号のからのノイズ除去、点処理、誤差拡散処理、エッジ処理、シャープネス処理等の画像処理をする。この第一の例では、画像処理部２７０として、ＡＳＩＣ（application specific integrated circuit）が用いられている。また、画像処理部２７０は、画像処理のためにページメモリ２７２を用いる。
【００４６】
ここで、画像処理部２７０は、画像を点単位で処理するように構成したり、画像をライン単位で処理するように構成したり、画像をタイル単位で処理するように構成したりできるものの、以下、画像処理部２７０が、例えば主走査方向等に伸びるライン単位で画像信号を処理するように構成されているものとする。
【００４７】
制御部２８０は、先述のように出力装置１００全体を制御するものであって、ＣＰＵが用いられている。また、制御部２８０は、出力装置１００全体の制御のためにシステムメモリ２８２を用いる。すなわち、システムメモリ２８２は、出力装置１００で用いられるアプリケーションの実行等のために用いられる。
【００４８】
以上のように構成された画像形成装置１０においては、送信部４７０が送信した処理方式のままで画像処理部２７０へと画像信号が入力されると、画像処理部２７０に入力された画像信号の方式が、画像処理部２７０が画像信号を処理する処理方式と一致しないことがあり、処理方式の不一致により画像処理の効率が低下する虞がある。
【００４９】
このため、この第一の例では、画像形成装置１０は、画像処理部２７０の画像信号の処理方式に応じて画像信号を事前処理し、処理を効率化している。より具体的には、画像信号の事前処理は、受信部２６０でなされ、さらに具体的には受信部２６０の制御部２６２でなされ、制御部２６２が、送信部４７０により送信されたパッキングされた画像信号をアンパッキング（パッキングの解除）するとともに、ライン単位で画像処理をするとの制御部２６２のデータ処理方式に応じて、例えば画像データの処理単位が１ラインとされる。
【００５０】
図３には、出力部４６０と、送信部４７０とが示されていて、受信部２６０と、画像処理部２７０と、制御部２８０との第二の例がさらに示されている。先述の第一の例では、画像処理部２７０の画像データの処理方式に応じた画像信号の事前処理は、受信部２６０が有する制御部２６２によってなされた。これに対して、この第二の例では、制御部２８０が、画像処理部２７０の画像データの処理方式に応じた画像信号の事前処理をしている。
【００５１】
すなわち、この第二の例においては、制御部２８０は、少なくとも画像処理部２７０を制御する制御部であって、画像処理部２７０の画像データの処理方式に応じた画像信号の事前処理をしている。
【００５２】
図４には、出力部４６０と、送信部４７０とが示されていて、受信部２６０と、制御部２８０との第三の例がさらに示されている。先述の第一の例と、先述の第二の例とにおいては、画像形成装置１０は、制御部２８０とは別に画像処理部２７０を有し、画像処理部２７０で受信部２６０が受信した画像信号の処理がなされていた。これに対して、この第三の例では、画像形成装置１０は、制御部２８０とは別の画像処理部２７０を有せず、制御部２８０で受信部２６０が受信した画像信号の処理をしている。
【００５３】
また、この第三の例では、先述の第二の例と同様に、画像データの処理方式に応じた画像信号の事前処理を制御部２８０が行っている。すなわち、制御部２８０は、制御部２８０そのものが画像信号を処理する処理方式に応じて画像信号を事前処理するとともに、事前処理した画像信号をさらに処理している。
【００５４】
また、この第三の例では、制御部２８０は、画像信号の事前処理と画像信号の処理とを同時に行っている。すなわち、制御部２８０は、画像信号の事前処理の完了を待たずに、画像信号の処理を開始している。
【００５５】
以上の第二の例の説明と、第三の例の説明と、第四の例の説明とにおいては、先述の第一の例との違いのみを説明し、第一の例と共通する部分の説明は省略した。
【符号の説明】
【００５６】
１０：画像形成装置
１００：出力装置
１３０：画像形成部
２６０：受信部
２６２：制御部
２７０：画像処理部
２８０：制御部
４５０：読取部
４６０：出力部
４７０：送信部
【図１】
2018186385.tif 000003
【図２】
2018186385.tif 000004
【図３】
2018186385.tif 000005
【図４】
2018186385.tif 000006